(57)【要約】      （修正有）【課題】大きな地震が発生した場合に、水槽が横揺れして水漏れを起こしたり、水槽ユニットが倒壊したりすることを極力防止しうる、免震機能を備えた水槽受け台を提供する。【解決手段】下側ベース板１と、下側ベース板１上に配置されて、水槽ユニットを載置した状態で下側ベース板１に対して水平方向に相対的に自由移動する上側ベース板２と、下側ベース板１と上側ベース板２の間に配設されて、上側ベース板２の相対的水平移動を支持する水平移動支持手段とから成る。例えば、水平移動支持手段は、下側ベース板１上に複数配設される受皿７と、受皿７上に置かれる転動体８と、上側ベース板２の裏面の受皿対応位置に配設されて受皿７との間に転動体８を挟圧する蓋皿９とで構成される。【選択図】図２
2015078745.tif 000002
【特許請求の範囲】
【請求項１】
下側ベース板と、前記下側ベース板上に配置されて、水槽ユニットその他の載置物を載置した状態で前記下側ベース板に対して水平方向に相対的に自由移動する上側ベース板と、前記下側ベース板と前記上側ベース板との間に配設されて、前記上側ベース板の水平移動を支持する水平移動支持手段とから成る免震機能を備えた受け台。
【請求項２】
震動停止後、相対移動した前記上側ベース板を元の位置に自動復位させる機能を有する、請求項１に記載の免震機能を備えた受け台。
【請求項３】
前記水平移動支持手段は、前記下側ベース板上に複数配設される受皿と、前記受皿上に置かれる転動体と、前記上側ベース板の裏面の前記受皿対応位置に配設されて前記受皿との間に前記転動体を挟圧する蓋皿とから成る、請求項１に記載の免震機能を備えた受け台。
【請求項４】
前記受皿と前記蓋皿は、中心に向かって浅く窪んだものとされる、請求項３に記載の免震機能を備えた受け台。
【請求項５】
前記水平移動支持手段は、前記下側ベース板上に複数突設されて、それぞれ前記上側ベース板の裏面に点接触する半球体である、請求項１に記載の免震機能を備えた受け台。
【請求項６】
前記水平移動支持手段は、前記下側ベース板上に複数設置されて、それぞれ前記上側ベース板の裏面に点接触するボールを有するボールキャスターである、請求項１に記載の免震機能を備えた受け台。
【請求項７】
前記水平移動支持手段は、下側ＬＭレールが前記下側ベース板上に固定され、上側ＬＭレールが前記上側ベース板の裏面に固定されるクロスＬＭガイドである、請求項１に記載の免震機能を備えた受け台。
【請求項８】
免震機能解除手段を備えた、請求項１乃至７のいずれかに記載の免震機能を備えた受け台。
【請求項９】
前記免震機能解除手段は、前記上側ベース板の一側壁と前記下側ベース板の一側壁とに設置される一対の受け具と、前記一対の受け具に抜き差し自在に差し込まれるストッパーとから成る、請求項８に記載の免震機能を備えた受け台。
【請求項１０】
前記下側ベース板に水抜き穴が穿設される、請求項１乃至９のいずれかに記載の免震機能を備えた受け台。
【請求項１１】
前記下側ベース板の裏面四隅に、前記上側ベース板の上面の水平状態を保持するアジャスターを備えた、請求項１乃至１０のいずれかに記載の免震機能を備えた受け台。
【請求項１２】
複数並置して用いられる、請求項１乃至１１のいずれかに記載の免震機能を備えた受け台。
【請求項１３】
下側ベース板と、前記下側ベース板上に配置されて、水槽ユニットその他の載置物を載置した状態で前記下側ベース板に対して水平方向に相対的に自由移動する上側ベース板と、前記下側ベース板と前記上側ベース板との間に配設されて、前記上側ベース板の水平移動を支持する水平移動支持手段と、前記下側ベース板に対する前記上側ベース板の水平移動を制止させる免震機能解除手段とから成る免震機能を備えた受け台。
【請求項１４】
前記免震機能解除手段は、前記上側ベース板の一側壁と前記下側ベース板の一側壁とに設置される一対の受け具と、前記一対の受け具に抜き差し自在に差し込まれるストッパーとから成る、請求項１３に記載の免震機能を備えた受け台。
【発明の詳細な説明】
【技術分野】
【０００１】
本発明は、免震機能を備えた受け台に関するものであり、より詳細には、例えば、２００Ｋｇにも及ぶことのある比較的大型で重量のある水槽ユニット等を載置するための受け台であって、地震等の震動発生時に揺れを吸収して水槽からの水漏れや倒壊を防止するための免震機能を備えた受け台に関するものである。
【背景技術】
【０００２】
熱帯魚や海水魚を観賞するためのアクアリウムは、根強い人気がある。しかし、地震が多発する我が国においては、地震を理由にその設置をためらうことが少なくない。即ち、大きな地震が発生した場合、水槽が横揺れして水漏れを起こしたり、水槽ユニットが倒壊したりして家財を傷めるだけでなく、集合住宅の場合には階下の部屋に漏水し、階下の住民に被害を与えるおそれがあるからである。
【０００３】
また、一般に飼われている熱帯魚や海水魚の中には、何十万円もするものが多く含まれ、中には、希少で百万円を超えるものも少なくないが、上記地震に伴う水漏れや倒壊が発生した場合、このように高価な熱帯魚や海水魚が一瞬にして死んでしまうおそれがあることも、設置を躊躇する大きな理由となっている。また、高価な美術品等に関しても、地震により倒壊して破損する危険から保護すべき要請がある。
【０００４】
然るに、従来、このような要請に十分応え得る、シンプルな構成の水槽ユニット等の受け台は提唱されていない。  
【先行技術文献】
【特許文献】
【０００５】
【特許文献１】特開２００７−２２８９４５号公報
【発明の概要】
【発明が解決しようとする課題】
【０００６】
上述したように、アクアリウムは根強い人気があるが、我が国においては、地震を理由にその設置をためらうことが少なくない。そこで、本発明は、大きな地震が発生した場合に、水槽が横揺れして水漏れを起こしたり、水槽ユニットが倒壊したりすることを極力防止しうる、シンプルな構成の免震機能を備えた水槽ユニット等の受け台を提供することを課題とする。
【課題を解決するための手段】
【０００７】
上記課題を解決するための請求項１に係る発明は、下側ベース板と、前記下側ベース板上に配置されて、水槽ユニットその他の載置物を載置した状態で前記下側ベース板に対して水平方向に相対的に自由移動する上側ベース板と、前記下側ベース板と前記上側ベース板との間に配設されて、前記上側ベース板の水平移動を支持する水平移動支持手段とから成る免震機能を備えた受け台である。
【０００８】
一実施形態においては、震動停止後、相対移動した前記上側ベース板を元の位置に自動復位させる機能を具備したものとされる。
【０００９】
一実施形態においては、前記水平移動支持手段は、前記下側ベース板上に複数配設される受皿と、前記受皿上に置かれる転動体と、前記上側ベース板の裏面の前記受皿対応位置に配設されて前記受皿との間に前記転動体を挟圧する蓋皿とから成るものとされ、その場合、前記受皿と前記蓋皿は、中心に向かって浅く窪んだものとされる。
【００１０】
一実施形態においては、前記水平移動支持手段は、前記下側ベース板上に複数突設されて、それぞれ前記上側ベース板の裏面に点接触する半球体とされ、あるいは、前記水平移動支持手段は、前記下側ベース板上に複数設置されて、それぞれ前記上側ベース板の裏面に点接触するボールを有するボールキャスターとされ、あるいは、前記水平移動支持手段は、下側ＬＭレールが前記下側ベース板上に固定され、上側ＬＭレールが前記上側ベース板の裏面に固定されるクロスＬＭガイドとされる。
【００１１】
一実施形態においては、免震機能解除手段を備えたものとされ、前記免震機能解除手段は、前記上側ベース板の一側壁と前記下側ベース板の一側壁とに設置される一対の受け具と、前記一対の受け具に抜き差し自在に差し込まれるストッパーとから成るものとされる。また、前記下側ベース板に水抜き穴が穿設され、前記下側ベース板の裏面四隅に、前記上側ベース板の上面の水平状態を保持するアジャスターが備え付けられる。また、本受け台は複数並置して用いられることもある。
【００１２】
また、上記課題を解決するための請求項１３に係る発明は、下側ベース板と、前記下側ベース板上に配置されて、水槽ユニットその他の載置物を載置した状態で前記下側ベース板に対して水平方向に相対的に自由移動する上側ベース板と、前記下側ベース板と前記上側ベース板との間に配設されて、前記上側ベース板の水平移動を支持する水平移動支持手段と、前記下側ベース板に対する前記上側ベース板の水平移動を制止させる免震機能解除手段とから成る免震機能を備えた受け台である。その場合の免震機能解除手段としては、前記上側ベース板の一側壁と前記下側ベース板の一側壁とに設置される一対の受け具と、前記一対の受け具に抜き差し自在に差し込まれるストッパーとから成るものが考えられる。
【発明の効果】
【００１３】
本発明は上述したとおりであって、シンプルで見た目のよい構成であって、大きな地震が発生した場合、床の震動に伴い、下側ベース板が水槽ユニット等を載置した上側ベース板を残して全方位に自由に水平移動する動きをすることで、床の震動が上側ベース板に伝達されることを極力阻止することができ、以て、上側ベース板並びにその上に載置されている水槽ユニット等の揺れが抑えられ、水槽ユニット等の揺れによって水漏れを起こしたり、水槽ユニット等が倒壊したりすることを回避することができる効果がある。
【００１４】
また、薄手の上下ベース板とその間に狭入される水平移動支持手段とで構成されるため、高さを抑えて見栄えよく構成することができ、複数並置することにより、大型の水槽ユニットに対応することが可能となる。更に、自動復位手段を配備することにより、震動停止後に自動的に元の状態に復帰させることができ、また、免震解除手段を配備した場合は、掃除やメンテナンス等の作業の際に、下側ベースに対する上側ベースの動きを抑えることができるため、それらの作業をスムーズに行うことが可能となる効果がある。
【図面の簡単な説明】
【００１５】
【図１】本発明に係る免震機能を備えた受け台の使用状態を示す斜視図である。
【図２】本発明に係る免震機能を備えた受け台の分解斜視図である。
【図３】本発明に係る免震機能を備えた受け台の作用を示す斜視図である。
【図４】本発明に係る免震機能を備えた受け台の作用を示す要部縦断面図である。
【図５】本発明に係る免震機能を備えた受け台の他の実施形態を示す分解斜視図である。
【図６】本発明に係る免震機能を備えた受け台の更に他の実施形態を示す分解斜視図である。
【図７】本発明に係る免震機能を備えた受け台の更に他の実施形態を示す分解斜視図である。
【発明を実施するための形態】
【００１６】
本発明を実施するための種々の形態について、添付図面に依拠して説明する。先ず、図１乃至図４に示す、本発明の第１の実施形態について説明する。本発明に係る受け台上に載置するものとしては、水槽ユニットの他に、美術品やパソコン等が考えられるが、以下の説明は水槽ユニットを対象としたものであり、他の載置物の場合も水槽ユニットの場合に準ずる。
【００１７】
第１の実施形態に係る免震機能を備えた水槽受け台は、下側ベース板１と、下側ベース板１上に配置されて、水槽ユニット３１を載置した状態で水平方向に自由移動する上側ベース板２と、下側ベース板１と上側ベース板２との間に配設されて、上側ベース板２の水平移動を支持する水平移動支持手段とにより構成される。
【００１８】
通例、下側ベース板１と上側ベース板２は同一サイズとされ、四角形、楕円形、円形その他適宜形状とされる。そして、下側ベース板１の上面に囲壁１ａが形成され、上側ベース板２の裏面に囲壁２ａが形成される。囲壁１ａ、２ａは低めに形成して下側ベース板１と上側ベース板２の総厚を抑え、その上に載せられる水槽ユニット３１が、一般的な水槽ユニットの高さ（通例、目線よりも少し下位）より高くなり過ぎないように配慮することが望ましい。
【００１９】
通例、下側ベース板１と上側ベース板２は共に金属製、硬質樹脂製、木製あるいは石製とすることができるが、特に載置物が水槽ユニットの場合は、耐水性（耐海水性）、耐食性を持たせるために、ステンレス等の耐水性、耐食性に優れた素材、又は、耐食性塗料を塗布した材料を用いることが好ましい。
【００２０】
下側ベース板１は、床上に載置されて、その上の上側ベース板２及び上側ベース板２上に載置される水槽ユニット３１を安定状態に支持するものである。そのため、下側ベース板１の裏面四隅にアジャスター４が備え付けられ、そのアジャスター４を調整することにより、下側ベース板１を水平状態に保つことができるようにされる。また、下側ベース板１には、水抜き穴３が１又は複数穿設される。上側ベース板２には直接重量のある水槽ユニット３１が載せられるので、適宜補強材５が配設される（図３（Ａ）参照）。また、上側ベース板２には、必要に応じ、水槽ユニット３１を固定するためのネジを差し込むためのネジ差込孔６が形成される。
【００２１】
上側ベース板２は、その上に水槽ユニット３１を載置した状態で、下側ベース板１上において、水平移動支持手段を介して水平方向に自由移動可能である。但し、平時においては、上側ベース板２に直接重量のある水槽ユニット３１が載せられるので、上側ベース板２が下側ベース板１上において自由移動することはない。なお、本受け台の場合、震動発生時に下側ベース板１の方が上側ベース板２を残して移動する動きをするので、以下の説明においては、下側ベース板１に対する上側ベース板２の移動を相対移動と表現する。
【００２２】
第１の実施形態における水平移動支持手段は、下側ベース板１上に複数配設される受皿７と、受皿７上に置かれて自由に移動する転動体８と、上側ベース板２の裏面の受皿対応位置に配設されて、受皿７との間に転動体８を挟圧する蓋皿９とで構成されるものである。転動体８としては、真球が用いられることが多いが、これに限られる訳ではなく、砲弾型等の多少歪んだものであっても、下側ベース板１及び上側ベース板２に対する接触面が球面状であればよい。
【００２３】
水平移動支持手段は、震動停止後、移動した上側ベース板２を元の位置に自動復帰させる復位機能を備えるものとすることが好ましい。そのためにこの実施形態においては、受皿５及び蓋皿７が、転動体８に求心性を持たせるために、中心に向かって浅く窪む形状とされる。その場合転動体８は、受皿５及び蓋皿７の中心部間に自動的に移動して収まり、水槽ユニット１１の重量を受けてその位置に静止し、その後水平方向の外力が加わらない限り、その状態を保持する（図４（Ａ））。
【００２４】
そして、震動発生時には床の震動が、アジャスター４を介して下側ベース板１に伝達されて下側ベース板１が横揺れ（全方位）するが、下側ベース板１（受皿７）と上側ベース板２（蓋皿９）は転動体８のみを介して接しているため、下側ベース板１は上側ベース板２を残して横揺れすることになり（図４（Ｂ）参照。言い方を変えれば、上側ベース板２が下側ベース板１に対して相対移動する。）、上側ベース板２が下側ベース板１の横揺れに追随して下側ベース板１と同じに大きく横揺れすることはない。即ち、ここに免震作用が働くことになる。下側ベース板１の最大移動距離は、受皿７と蓋皿９の半径程度となる。
【００２５】
震動に伴って転動体８は、受皿７と蓋皿９の中心部から変位するが（図４（Ｂ））、震動が弱まるにつれて次第に受皿５及び蓋皿７の中心部に寄って行き、震動停止後にはその中心部に復帰して停止するので、震動に伴って下側ベース板１から水平方向にずれ動いていた上側ベース板２は、元の下側ベース板１に合致する位置に自動復位することになる。
【００２６】
なお、通常は、下側ベース板１が上側ベース板２に対して自由に相対移動し得るようにするために、下側ベース板１と上側ベース板２との間に何の拘束手段も配備されないが、例えば、水槽の水苔取り等の作業をするような場合は、水槽に力を加えると、下側ベース板１に対して上側ベース板２が横ずれするために、作業がしづらいこととなる。そこで、そのような場合を考慮し、下側ベース板１に対して上側ベース板２が横ずれすることを防止する手段、換言すれば、免震機能解除手段を配備することが好ましい。
【００２７】
図１乃至図３に示される免震機能解除手段は、上側ベース板２の側壁２ａと、その側壁２ａに対応する下側ベース板１の側壁１ａに、上下方向に連通するように設置される受け具１１、１２と、上方から受け具１１、１２に抜き差し自在に差し込まれる、例えば、Ｔ字型形状のストッパー１３とで構成される。この構成の場合、通常は、ストッパー１３を抜き取っておき、上側ベース板２が下側ベース板１に対して相対移動可能な状態にしておく。そして、水槽の清掃やメンテナンス等に際し、上側の受け具１１から下側の受け具１２にかけてストッパー１３差し込むと、上側ベース板２は下側ベース板１に対して相対移動できないことになり、清掃やメンテナンス等の作業がしやすくなる。この免震機能解除手段は、下側ベース板１と上側ベース板２の任意の一側壁又は複数の側壁に配備することができる。
【００２８】
図５に示される第２の実施形態における水平移動支持手段は、下側ベース板１上に多数突設されて、それぞれ上側ベース板２の平坦な裏面に点接触する半球体１５である。この構成の場合、各半球体１５と滑らかな上側ベース板２の裏面との間の摩擦抵抗は低いため、第１の実施形態の場合と同様に、震動発生時に下側ベース板１は、上側ベース板２を残して床と共に横揺れする動きをすることが可能となる。
【００２９】
この第２の実施形態の場合は、半球体１５と上側ベース板２の裏面との間において、自動復位作用は起きない。そこで、例えば、下側ベース板１上に４本の支柱１６を立て、４本の支柱１６間、換言すれば、下側ベース板１の中心部に、中心に支持孔１７ａを設けた復位板１７を配置し、復位板１７と各支柱１６間にリターンスプリング１８を掛け渡す。そして、上側ベース板２の裏面に、復位板１７の支持孔１７ａに挿入する復位軸１９を取り付けることとする。この場合上側ベース板２は、復位軸１９を復位板１７の支持孔１７ａに嵌合させて下側ベース板１上にセットするが、復位軸１９は、その際にその下端が下側ベース板１に触れない長さとされる。
【００３０】
なお、この実施形態の場合、上側ベース板２は下側ベース板１に対して全方向に相対移動可能であるので、正しく復位させるために、支持孔１７ａは角穴にされ、復位軸１９は角柱とされる。
【００３１】
この構成において震動が発生した場合、下側ベース板１は床の横揺れに伴って上側ベース板２を残して移動しようとするが、その際には各リターンスプリング１８が伸縮するため、その移動が妨げられることはない。そして、震動が停止すると、各リターンスプリング１８のバネ圧の均衡によって復位板１７が下側ベース板１の中心位置に戻され、それに伴い、復位板１７の支持孔１７ａに嵌合している復位軸１９を介して、上側ベース板２も自動復位する。この第２の実施形態においても、第１の実施形態におけると同様の横ずれ防止手段（１１〜１３）を設けることが好ましい。
【００３２】
図６に示される第３の実施形態は、上記第２の実施形態の変形例で、下側ベース板１上に、半球体１５の代わりに、ボールキャスター２１を配設したものであり、それ以外の構成は、第２の実施形態の場合と特に変わりはなく、作用も同じである。即ち、各ボールキャスター２１のボールが上側ベース板２の滑らかな裏面に当接し、上側ベース板２は下側ベース板１に対して相対移動する。また、この場合も、第２の実施形態と同様の横ずれ防止手段（１１〜１３）、並びに、自動復位手段（１６〜１９）が設置される。
【００３３】
図７に示される第４の実施形態における水平移動支持手段は、下側ベース板１上に１又は複数配設されるクロスＬＭガイド２２である。クロスＬＭガイド２２は、下側ベース板１上に固定される下側ＬＭレール２３と、下側ＬＭレール２３に跨って下側ＬＭレール２３に沿って自由移動するＬＭブロック２４と、ＬＭブロック２４の上面に移動自在に設置される上側ＬＭレール２５とから成り、上側ＬＭレール２５は下側ＬＭレール２３に対して直交状態に配置されて、上側ベース板２の裏面に固定される。クロスＬＭガイド２２が複数配設される場合、下側ＬＭレール２３はいずれも同じ第１の方向に向けられ、上側ＬＭレール２５は、いずれも第１の方向と直交する第２の方向に向けられる。符号２６は、上側ＬＭレール２５を上側ベース板２の裏面にねじ止めするためのネジ差込孔を示す。
【００３４】
この第４の実施形態の場合は、上側ベース板２は下側ベース板１に対してＸＹ軸方向に自由移動可能となる。この第４の実施形態の場合も、上記各実施形態におけると同様の自動復位手段（１６〜１９）、並びに、横ずれ防止手段（１１〜１３）を設けることが好ましい。但し、この第４の実施形態の場合の上側ベース板２の下側ベース板１に対する相対移動はＸＹ軸方向に限られるので、支持孔１７ａを円孔とし、復位軸１９を円柱とすることができる。
【００３５】
本発明に係る水槽受け台は、それぞれ１つの水槽ユニット３１を載置することを基本とするが、２つあるいは３つ並べることにより、より大型の、ないし、幅のある水槽ユニット３１に対応することができる。その場合においても、各受け台における上側ベース板２と下側ベース板1は同じ動きをするので、所期のとおりの免震効果が得られる。このように複数の受け台を用いる場合は、それらの受け台に跨がせて１枚の長尺板を載置することとしてもよい。また、そのような使用法を考慮して、免震機能解除手段である上記受け具１１、１２を四辺の任意の位置に配置し、所望の位置の受け具１１、１２にストッパー１３を差し込むことができるようにすることが好ましい。
【００３６】
このように本発明に係る受け台の場合は、大きな地震が発生して床が大きく震動したとしても、下側ベース板１が水槽ユニット３１等を載置した上側ベース板２を残して全方位に自由に水平移動することで、床の震動が上側ベース板２並びにその上の水槽ユニット等に伝達されることが極力阻止されるため、水槽ユニット等の揺れによって水漏れを起こしたり、水槽ユニット等が倒壊したりすることが防止され、当該室内の床及び家財、並びに、階下の天井や家財を傷めたりすることが防止され、更に、集合住宅等の場合に階下の住民に被害を与えることを回避することが可能となる。また、清掃時等においては、免震解除手段を利用して、下側ベース板１に対する上側ベース板２の相対的動きを制限することができる。
【００３７】
この発明をある程度詳細にその最も好ましい実施形態について説明してきたが、この発明の精神と範囲に反することなしに広範に異なる実施形態を構成することができることは明白である。従って、この発明は、添付の請求の範囲において限定した以外はその特定の実施形態に制約されるものではない。
【符号の説明】
【００３８】
１    下側ベース板
１ａ、２ａ  囲壁
２    上側ベース板
３    水抜き穴
４    アジャスター
５    補強材
６、２６  ネジ差込孔
７    受皿
８    転動体
９    蓋皿
１１、１２  受け具
１３    ストッパー
１５    半球体
１６    支柱
１７    復位板
１７ａ  支持孔
１８    リターンスプリング
１９    復位軸
２１    ボールキャスター
２２    クロスＬＭガイド
２３    下側ＬＭレール
２４    ＬＭガイド
２５    上側ＬＭレール
【図１】
2015078745.tif 000003
【図２】
2015078745.tif 000004
【図３】
2015078745.tif 000005
【図４】
2015078745.tif 000006
【図５】
2015078745.tif 000007
【図６】
2015078745.tif 000008
【図７】
2015078745.tif 000009